(57)【要約】      （修正有）【課題】ギア位置の切換・変更がスムーズにできる電動工具の動力出力装置の提供。【解決手段】台座体は動力を受けると、該出力軸を駆動し、工具を回転し、ネジ止め、ドリルもしくは衝撃など加工作業を行う。切換部は、段速を切り換える回転ボタン２４を具えて定位バネ２２の位置を制御する。衝撃機構は出力軸に可動組立した定方向輪３１及び出力軸内に固定したジャンプ輪を具え、該定方向輪３１の最上端面と該ジャンプ輪の底面はそれぞれ相互に噛み合う凸歯面を形成し、該定方向輪の底部には外環を設置し、且つ該外環は該定位バネ２２の位置変化を受けて出力軸に相対して回転する自由度を決定する。定方向輪３１が該定位バネ２２の噛み合せを受けた時、定方向輪３１の自由度は制限を受け、定方向輪のラチェット輪機構に作用を発生させる。反対に定方向輪が該定位バネの噛み合わせを受けない時、定方向輪歯出力軸に従って自由に回転する。【選択図】図４
0003142443.tif 000002
【実用新案登録請求の範囲】
【請求項１】
座体、換部、衝撃機構、押圧部、出力軸および回転ボタン外筐を含み、前記の台座体は動力を受けて稼動し、該出力軸を回転させる電動工具の動力出力装置において、
前述の切換部は更に切換台及び切換台に結合した回転ボタンを含み、該切換台上には複数の穿槽を設置し、該回転ボタンの底端には凸縁を具え、該衝撃機構は該出力軸に可動設置した定方向輪、及び出力軸内に固定したジャンプ輪を具え、該定方向輪の最上端面と該ジャンプ輪の底面は、それぞれ相互に噛み合う凸歯面を成形し、該定方向輪の底部に外環を設置し、及び回転するラチェット機構を設置するもので、
前記の切換台の複数個の穿槽にはそれぞれ定位バネを設置し、且つ該定位バネを該回転ボタンの内部に挿入し、前記の外環の外径は波型で複数の円弧形の波尾根と波谷を具え、該回転ボタンが衝撃ギア位置でない箇所へ回転した時、前記の定位バネは該回転ボタンの内部に位置して外環の波谷に嵌入せず、前記の定方向輪を出力軸に相対して回転し、自由度に影響を与えず、また該回転ボタンが衝撃ギア位置へ回転した時、前記定位バネは該回転ボタンの押圧を受けて該外環の波谷内へ嵌入し、前記定方向輪を出力軸に対応させて回転するのに制限を受け、前述のジャンプ輪と定方向輪が相対して回転運動する時、該ジャンプ輪はジャンプし、且つ該出力軸が軸方向に間欠性の衝撃力を提供することを特徴とする電動工具の動力出力装置。
【請求項２】
前記定位バネは、一種の圧縮バネであることを特徴とする請求項１記載の電動工具の動力出力装置。
【考案の詳細な説明】
【技術分野】
【０００１】
本考案は、電動工具の動力出力装置に関するもので、特に切換がスムーズで容易にギアに入る構造に係る。
【背景技術】
【０００２】
公知の回転出力動力を具え、及び衝撃力を出力する電動工具は、一般に多段ギア位置に依る出力量切換と形態の切換機構を具え、且つ通常最後の一個のギア位置が回転動力出力及び衝撃力出力を同時に提供する。しかしながら、この種の動力出力装置は非常に複雑な部品で構成されている。下記の特許文献１により、前述の公知の動力出力装置の構造が複雑であると言う問題は解決したが、代わりにコストが高くなると言う問題を発生した。該前述の特許案の構造は、座体、切換部、衝撃機構、押圧部、及び回転ボタン外筐を含む。そのうち、該切換部は、切換台に組み立てた複数の定位片を具える。該衝撃機構は、定方向輪及びジャンプ輪を具え、そのうち定方向輪は該出力軸に可動設置し、またジャンプ輪は出力軸に固定設置する。該定方向輪の最上端面と該ジャンプ輪の底面にはそれぞれ相互に噛み合う凸歯面を成形する。前述の定位片と定方向輪の外環は相対する位置関係を具え、回転ボタンの回転によって、回転ボタン底端の凸縁が該定位片を押し、定位片内の凸部が該定方向輪底部の外環周囲の凸縁を掛合して該外環が軸方向に回転する自由度に制限を加える。この状態の下、ジャンプ輪及び定方向輪が相互に噛み合う各自の凸歯面が傾斜面歯で構成される。そのため、この二端面が相対運動を発生した時、ジャンプ輪が飛び、且つ該出力軸が一軸方向の間欠性の衝撃力を提供し、衝撃動力の機能を達成する。
【考案の開示】
【考案が解決しようとする課題】
【０００３】
解決しようとする問題点は、上記の特許文献１の台湾特許公告第５５４８０８号に於いて、回転ボタンが衝撃動力出力の機能の位置に至った時、定位片の凸部は定方向輪内の凸縁を押して干渉し、定位片が定方向輪の外環位置にスムーズに入れないため、再度操作を行わなければならず、多数回の操作を必要する点である。
【０００４】
本考案は、前述の問題を解決するため、定位バネが前述の定位片を代替し、前述の定方向輪の外環を波型形状に成形し、回転ボタンが衝撃動力機能のギア位置にない時、該定位バネを回転ボタンの内部に位置させ、且つ定方向輪の波型の波谷に対応させる。これによって定位バネは撓み性及び弾性を具えるため、定方向輪が出力軸に相対して回転する時の自由度に影響を与えないため、動力を出力して回転する。また、回転ボタンが衝撃動力機能のギア位置へ回転させた時、回転ボタン内の構造は定位バネを定方向輪の方向へ押し、定位バネを定方向輪の波型の波谷内に挿入する。これによって定方向輪の回転自由度は制限を受け、定方向輪のラチェット機構に作用を発生させるため、毎回切換ギア位置に入れる時、スムーズにギアに入れることが出来ることを特徴とする。
【０００５】
これに基づき、本考案が提供する電動工具の動力出力装置は、座体、切換部品、衝撃機構、押圧部、出力軸及び回転ボタン外筐を含む。前記台座体は動力を受けて動くと、出力軸を動かし、更に設置した工具を回転させ、ネジ止め、ドリルもしくは衝撃等加工作業を行う。前記切換部は段速を切り換える回転ボタンを具え、定位バネの位置を制御する。該衝撃機構は該出力軸に可動設置した定方向輪及び該出力軸内に固定したジャンプ輪を具え、該定方向輪の最上端面と該ジャンプ輪の底面がそれぞれ相互に噛み合う凸歯面を形成し、該定方向輪の底部は外環に設置し、且つ該外環は定位バネの位置の変更を受け、出力軸に相対して回転する自由動を決定する。定方向輪が定位バネに噛み合った時、定方向輪の自由度は制限を受け、更に定方向輪のラチェット機構に作用を発生する。反対に定方向輪が該定位バネを噛み合せた時、定方向輪は出力時にしたがって自由に回転する。これにより、該回転ボタンが衝撃ギア位置に至った時、出力軸で回転する時に提供した工具端の回転動力により、衝撃加工を行う。
【課題を解決するための手段】
【０００６】
請求項１の考案は、座体、換部、衝撃機構、押圧部、出力軸および回転ボタン外筐を含み、前記の台座体は動力を受けて稼動し、該出力軸を回転させる電動工具の動力出力装置において、
前述の切換部は更に切換台及び切換台に結合した回転ボタンを含み、該切換台上には複数の穿槽を設置し、該回転ボタンの底端には凸縁を具え、該衝撃機構は該出力軸に可動設置した定方向輪、及び出力軸内に固定したジャンプ輪を具え、該定方向輪の最上端面と該ジャンプ輪の底面は、それぞれ相互に噛み合う凸歯面を成形し、該定方向輪の底部に外環を設置し、及び回転するラチェット機構を設置するもので、
前記の切換台の複数個の穿槽にはそれぞれ定位バネを設置し、且つ該定位バネを該回転ボタンの内部に挿入し、前記の外環の外径は波型で複数の円弧形の波尾根と波谷を具え、該回転ボタンが衝撃ギア位置でない箇所へ回転した時、前記の定位バネは該回転ボタンの内部に位置して外環の波谷に嵌入せず、前記の定方向輪を出力軸に相対して回転し、自由度に影響を与えず、また該回転ボタンが衝撃ギア位置へ回転した時、前記定位バネは該回転ボタンの押圧を受けて該外環の波谷内へ嵌入し、前記定方向輪を出力軸に対応させて回転するのに制限を受け、前述のジャンプ輪と定方向輪が相対して回転運動する時、該ジャンプ輪はジャンプし、且つ該出力軸が軸方向に間欠性の衝撃力を提供することを特徴とする電動工具の動力出力装置としている。
請求項２の考案は、前記定位バネは、一種の圧縮バネであることを特徴とする請求項１記載の電動工具の動力出力装置としている。  
【考案の効果】
【０００７】
本考案の電動工具の動力出力装置は、公知と比較して毎回のギア位置切換の時にスムーズにギアに入り、ギア位置を変更するのもスムーズ、且つ便利であるという利点がある。
【考案を実施するための最良の形態】
【０００８】
以下は図式及び部品符号と共に本考案の実施方式を詳細に説明し、この領域の習熟者が本説明を読んだ後、実施できるようにする。
【０００９】
図１及び図２は、本考案の電動工具の動力出力装置の実施例で、主に座体１、切換部２、衝撃機構３、押圧部４、出力軸５及び回転ボタン外筐６を含む。
【００１０】
そのうち、台座体１主体は、駆動装置で、その一端には該切換部２の底部を固定する端面構造を形成し、且つその端面構造は該駆動装置が伸びた入力輪ユニット１１を具える。
【００１１】
切換部２は、底盤２０内部から伸びた中空円柱状の切換台２１を含み、該底盤２０底端を前述の台座体１に固定する。該切換台２１は底部から上向きに伸び、且つ側壁を貫通する複数個の穿槽２１ａ、及び切換台の最上部を取り巻く外ネジ紋２１ｂを具える。各穿槽２１ａ内にはそれぞれ定位バネ２２を嵌入し、本考案の実施例の前記定位バネ２２は一種の弾性及び撓み性を具えたバネである。また前記ネジ紋２１ｂはリング形状の回転ボタン２４を組み、該回転ボタンの内環表面には該切換台２１最上端の外ネジ紋２１ｂと合わせる内ネジ紋２４ａ、及び底端で突出し且つ該複数の定位バネ２２位置で合わさる複数個の凸縁２４ｂを具える。回転ボタン２４を切換台２１に組む前に、先ず切換台２１にバネ２５を嵌入し、回転ボタン２４を切換台２１に組み合わせた後、バネ２５の両端を切換部２の底盤２０最上面及び該回転ボタン２４底面の間で押さえ、回転ボタン２４に適する弾力を提供する。
【００１２】
前記衝撃機構３は、定方向輪３１、ジャンプ輪３２及び充填リング３３等複数個のリング状体を含む。該定方向輪３１最上面及び底部は、それぞれ凸歯面３１ａ及びラチェット輪部３１ｂを形成し、該凸歯面３１ａは、複数個の凸歯が環状配列して構成される。該ラチェット輪部３１ｂ周囲は該出力軸５に相対して回転する外環３１ｃを具え、該外環３１ｃの外径表面には波型が形成され、複数個の円弧状の波尾根と波谷３１ｄを具える。該ジャンプ輪３２一端は、定方向輪３１の凸歯面３１ａと相互に噛み合う凸歯面３２ａを具え、且つ前記両組の凸歯面３１ａと３２ａはそれぞれ相互に補い合う傾斜歯（例として図３参照）で、この二凸歯面３１ａと３２ａが噛み合った状態で回転運動する時、該ジャンプ輪３２はジャンプ作用を発生する。
【００１３】
前記押圧部４は、予め湾曲変形した弾性パッド４１にパッドリング４２を合わせて構成される。
【００１４】
出力軸５は、長柱形状体で、凸環５ａを成形し、該出力軸５の一端に該押圧部４、衝撃機構３及び切換部２の順で挿入し、台座体１の入力輪ユニット１１を溶接し、出力軸５は入力輪ユニット１１の動きに従って回転し、該出力軸５の別一端は各種加工工具の端面を設置する構造を形成する。他にジャンプ輪３２は該出力軸５上に固定設置する。
【００１５】
回転ボタン外筐６の中心には穿孔６ａを具え、且つ一端は開口が一円柱形状の中空体であり、その開口端に切換部２の回転ボタン２４外部を嵌合し、出力軸５を穿孔６ａに差し込むため、該凸環５ａの干渉により軸方向位置が制限され、且つ回転ボタン外筐６が回転して該回転ボタン２４を回転させる。
【００１６】
前述の切換部２は、回転ボタン外筐６が回転ボタン２４を回転させ、切換速度のギア位置を設定する機構である。該回転ボタン２４回転時の位置は、速度ギア位置が最後のギア位置でない時、該出力軸５は該押圧部４内の弾性パッド片４１の外向き作用力を受け、且つ該回転ボタン２４内の凸縁２４ｂは該定位バネ２２を押さず、同時に該定位バネ２２は回転ボタン２４内の内部に位置し、且つ定方向輪３１の波型の波谷３１ｄ（例として図４参照）に対応し、この状態の下で、定位バネ２２が撓み性及び弾性を具えるため、定方向輪３１は出力軸５に相対して回転した時、外環３１ｃの円弧形の波尾根は定位バネ２２を通過でき、定方向輪３１の回転自由度は影響を受けないため、動力を出力して回転できる。言い換えれば、ドリル作業の過程に於いて、出力軸５が設置した工具の端面に圧力を受けた時、出力軸５の凸環５ａは押圧部４の弾性パッド片４１に一軸方向の力作用を発生し、ジャンプ輪３２を後退して縮ませ、定方向輪３１の凸歯面３１ａと噛み合い、しかし定方向輪３１に設置した外環３１ｃは出力軸上において自由に回転する。それにより、該ジャンプ輪３２と定方向輪３１は噛み合った状態を保ち、噛み合った面がジャンプして外れる現象が起こらない。
【００１７】
図５に示すとおり、回転ボタン２４は衝撃動力機能が出力するギア位置まで回転すると、回転ボタン２４の内ネジ紋２４ａによって定位バネ２２を定方向輪３１の方向まで押さえ、定位バネ２２を定方向輪３１の波谷３１ｄ内へ挿入する。この状態の時、定方向輪３１の回転自由度は制限を受けて出力軸５が自由に回転できなくなり、定方向輪３１のラチェット機構３１ｂに作用を発生させ、このようにして毎回ギア位置を切り換える時、スムーズにギアに入る。言い換えると、衝撃作業の過程に於いて、出力軸５に設置した工具の端面が圧力を受けた時、該出力軸５の凸環５ａは一軸方向の力を発生して押圧部４の弾性パッド片４１に作用し、ジャンプ輪３２を後方へ押し縮め、定方向輪３１の凸歯面３１ａと噛み合う。定方向輪３１は外環３１ｃが既に固定したラチェット輪部３１ｂの作用を受けて回転できなくなるため、該ジャンプ輪３２と定方向輪３１が噛み合う二個の端面は相対運動が発生し、この二端の凸歯作用の元でジャンプ離脱現象を起こすため、出力軸５に軸方向外向きの間欠性衝撃力を発生し、衝撃ギアの機能を達成する。
【００１８】
以上は本考案の良好な実施例であり、本考案に如何なる制限も与えるものではない。依って同じ精神の下での関連する如何なる修飾もしくは変更は、すべて本考案の請求の範囲に属する。
【図面の簡単な説明】
【００１９】
【図１】本考案の電動工具の動力出力装置の立体分解図である。
【図２】本考案の電動工具の動力出力装置内の台座体の断面概略図である。
【図３】本考案の電動工具の動力出力装置内の定方向輪及びジャンプ輪の噛み合せ面の側面断面図である。
【図４】本考案の定位バネが定方向輪の波谷に嵌合せず、定方向輪が出力軸の回転に相対して回転し、自由度が制限されない平面断面図である。
【図５】本考案の定位バネが既に定方向輪の波谷に嵌合され、定方向輪が出力軸に相対して回転し、自由度が制限を受ける平面断面図である。
【符号の説明】
【００２０】
１        台座体
１１        入力輪ユニット
２        切換部
２０        底盤
２１        切換台
２１ａ      穿槽
２１ｂ      外ネジ紋
２２        定位バネ
２４        回転ボタン
２４ａ      内ネジ紋
２４ｂ      凸縁
２５        バネ
３        衝撃機構
３１        定方向輪
３１ａ      凸歯面
３１ｂ      ラチェット輪部
３１ｃ      外環
３１ｄ      波谷
３２        ジャンプ輪
３２ａ      凸歯面
３３        充填リング
４        押圧部
４１        弾性パッド片
４２        パッドリング
５        出力軸
５ａ      凸環
６        回転ボタン外筐
６ａ      穿孔
【図１】
0003142443.tif 000003
【図２】
0003142443.tif 000004
【図３】
0003142443.tif 000005
【図４】
0003142443.tif 000006
【図５】
0003142443.tif 000007